(57)【要約】【課題】  打球部の反発性能を向上させた球技用バットを提供する。【解決手段】  全長にわたる芯材２の打球部Ｃ上に中空弾性材によって形成された反発部材６を互いに密着させて巻回し、その外周面上を弾性材による中パイプ５及び外パイプ７で被覆する。【選択図】  図１
2005028043.tif 000002
【特許請求の範囲】
【請求項１】
グリップ部からテーパー部、打球部を経て先端部に至る所要長さに形成された球技用バットにおいて、全長にわたる軸芯に配された芯材の前記打球部上に、弾性材料により中空形状に形成された反発部材が並列配置され、反発部材上が円筒部材により被覆されてなることを特徴とする球技用バット。
【請求項２】
反発部材は、小径中空弾性材が芯材上に密着させて螺旋状に巻回されてなる請求項１に記載の球技用バット。
【請求項３】
反発部材は、リング状に形成された小径中空弾性材が芯材上に密着配置されてなる請求項１に記載の球技用バット。
【請求項４】
反発部材と円筒部材との間に弾性板状材が配設されてなる請求項１〜３いずれか一項に記載の球技用バット。
【請求項５】
円筒部材が、弾性素材によって形成されてなる請求項１〜４いずれか一項に記載の球技用バット。
【発明の詳細な説明】
【技術分野】
【０００１】
本発明は、野球やソフトボールなどの球技に使用する球技用バットに関するものである。
【背景技術】
【０００２】
野球やソフトボール用のバットは主に木もしくは金属を所定形状寸法に形成したものが用いられている。このような素材のみで構成したものでは、バットの特性、特に反発特性を大きく変えることは困難であるため、素材に弾性体を付加して反発特性の向上を図ったものが知られている。例えば、バットの打球部位置の直径を小さくして、その外周にスポンジ状の弾性体を配し、弾性体の外周をパイプで包んだ野球又はソフトボール用バットが知られている（特許文献１参照）。
【特許文献１】特開２００２−１２６１４４号公報（第２〜３頁、図１）
【発明の開示】
【発明が解決しようとする課題】
【０００３】
上記従来技術に係るバットにおいて反発特性を大きくするには、打球部に配するスポンジ状の弾性体の弾性復元力が重要な要素となるが、薄い層状に設けられるスポンジ状の弾性体では大きな反発特性を得ることは困難である。弾性体の厚さを増加することによって反発特性の増加を図ることは可能と考えられるが、そのためには打球部芯材の直径が小さくなり、バットとしての強度を維持することができない問題があった。
【０００４】
本発明が目的とするところは、バットとしての強度の低下をまねくことなく打球の反発特性を向上させることを可能にする球技用バットを提供することにある。
【課題を解決するための手段】
【０００５】
上記目的を達成するための本発明は、グリップ部からテーパー部、打球部を経て先端部に至る所要長さに形成された球技用バットにおいて、全長にわたる軸芯に配された芯材の前記打球部上に、弾性材料により中空形状に形成された反発部材が並列配置され、反発部材上が円筒部材により被覆されてなることを特徴とする。
【０００６】
上記構成によれば、打球時には反発部材の圧縮変形及び空気の圧縮がなされ、その復元力によりボールが打ち出されるので、スポンジ材等の弾性体では得られない大きな反発特性が得られる。
【０００７】
上記構成において、反発部材は、小径中空弾性材を芯材上に密着させて螺旋状に巻回した構成、あるいはリング状に形成された中空弾性材を芯材上に密着配置した構成により実現することができる。
【０００８】
また、反発部材と円筒部材との間に弾性板状材を配設することにより、弾性材が二重に配設されることによる反発特性の向上が図られる。
【０００９】
また、円筒部材は、弾性素材によって形成することにより、打球時のボールからの圧力によって反発部材と共に変形し、その復元力によって反発特性を大きくすることができる。
【発明の効果】
【００１０】
本発明によれば、打球部の芯材上に中空形状の反発部材が並列配置されているので、打球時には弾性中空形状の変形と空気の圧縮とにより大きな反発特性が得られるので、従来のスポンジ状の反発材料を設けたバットに比して大きな反発特性を有する球技用バットに構成することができる。
【発明を実施するための最良の形態】
【００１１】
図１、図２において、実施形態に係る球技用バット１は、小径円柱状のグリップ部Ａから外面がテーパー形状のテーパー部Ｂ、大径円柱状の打球部Ｃを経て先端部Ｄに至るバット形状に形成されている。中心軸上にバットの全長にわたる長さの円柱形状に形成された芯材２は、長形で扁平な竹材を接着剤で貼り合わせた合竹材をグリップ部Ａの直径に対応する小径円柱状に成形したもので、図２に示すように、グリップ部Ａ側の端部にはオレフィン系エラストマーを成形したグリップエンド１１が取り付けられる。グリップ部Ａは芯材２を外部露出させた状態でもよいが、図２に示すように、滑り止めを設けたグリップテープ１０を巻回することができる。芯材２は上述のように合竹材としているが、木を円柱状に削り出したもの、あるいは、木の板材を貼り合わせた合材を円柱状に削り出したもの、アルミニウム等の軽金属を中空に成形したものなどを用いることもできる。
【００１２】
前記打球部Ｃに位置する芯材２上には、オレフィン系エラストマーにより成形された内パイプ４が装着され、その外表面に同じくオレフィン系エラストマーにより小径パイプに成形された反発部材６が隣り合う間を密着させて巻回される。この反発部材６上は発泡ポリウレタンによって成形された中パイプ５で被覆され、更に中パイプ５上はオレフィン系エラストマーによって成形された外パイプ７によって被覆されて所要直径の打球部Ｃに形成されている。
【００１３】
直径が異なるグリップ部Ａと打球部Ｃとの間にあるテーパー部Ｂの芯材２上には内装筒８が装着され、その外側にテーパー形状の外装筒９が装着される。また、芯材２の先端部Ｄ位置には先端キャップ３が取り付けられる。この球技用バット１の製造手順としては、先端キャップ３と内装筒８及び外装筒９とが先に芯材２に取り付けられ、その後に打球部Ｃの反発部材６の巻回がなされる。
【００１４】
芯材２に対する先端キャップ３の固定は、芯材２の先端側に先端キャップ３の内筒３ｂを嵌入し、外筒３ａの直径方向に形成された切欠き３ｃからボルト１３を芯材２に穿かれたキャップ取付穴２ａに通し、反対側の切欠き３ｃからナット１４をボルト１３に螺入することによってなされる。また、前記内装筒８の芯材２に対する固定も同様になされる。即ち、二重筒に形成された内装筒８の外筒８ａに形成された切欠き８ｃからボルト１３を芯材２に形成された内装筒取付穴２ｂに通し、反対側の切欠き８ｃからナット１４をボルト１３に螺入して内装筒８を芯材２に固定する。固定された内装筒８の外筒８ａ上には、グリップ部Ｂ側から挿入した外装筒９が圧入される。このとき外装筒９の内面側に放射状に形成された複数の保持片９ａが芯材２を周囲から保持すると共に、その先端部側が内装筒８の外筒８ａに形成された嵌合切欠き８ｄ内に嵌入するので、内装筒８と外装筒９とは一体に組み合わされ、外装筒９は芯材２上で回転しない状態に取り付けられる。
【００１５】
上記のように芯材２に先端キャップ３と内装筒８及び外装筒９とを取り付けた後、前述したように打球部Ｃに反発部材６及び中パイプ５、外パイプ７を装着し、グリップ部Ａの後端にグリップエンド１１を芯材２に形成されたグリップエンド取付穴２ｃを利用してボルト固定すると、球技用バット１が完成する。
【００１６】
上記構成になる球技用バット１は、打球部Ｃでボールを打球すると、弾性材である外パイプ７及び中パイプ５が弾性変形すると共に、大きな打球圧力で反発部材６の小径パイプが弾性変形して中空内の空気を圧縮する。この各部の弾性変形及び空気圧縮に伴う弾性復元による反発力によって打球部Ｃに当たったボールを弾き出す圧力を与えるので、従来の一般的なバットのようにボールが木あるいは金属に当たって弾性変形し、その反発力で打ち出される作用よりも大きなに反発力が与えられてボールはより遠くに打ち出される。
【００１７】
上記構成において、打球部Ｃに装着される反発部材６は、その断面形状が円形としているが、断面形状が四角形であっても同様の作用がなされる。また、線状の小径パイプを巻回するのでなく、リング状に形成された小径パイプを密着させて並列配置しても同様の効果が得られる。
【００１８】
上記構成では芯材２が円柱状に形成されるので、素材から削り落される廃棄部分が少ない利点はあるが、テーパー部Ｂを形成するために内装筒８及び外装筒９を設ける必要がある。
【００１９】
図３に示すように、芯材１６の直径をグリップ部Ａから暫増させてテーパー部Ｂを形成し、グリップ部Ａと略同一直径の打球部Ｃに反発部材１７を配設して球技用バット１５に構成することもできる。この構成では、エラストマーにより断面形状が四角形の中空に生成したリング状に反発部材１７を形成し、これを芯材１６の打球部Ｃ上に互いに密着させて並列配置し、反発部材１７の外周面上にテーパー部Ｂの最大直径と同一直径となる直径に形成されたエアラストマ製の外パイプ１８を設け、芯材１６の先端部Ｄに先端キャップ１９を取り付けることにより、外観がバット形状になるようにしている。
【００２０】
上記構成では、芯材１６上に直接反発部材１７を配設しているが、要求される反発力に応じて反発部材１７と芯材１６との間に弾性材を配設したり、反発部材１７と外パイプ１８との間に弾性材を配設することもできる。また、反発部材１７は、その断面形状が円形であってもよく、線状のものを巻回しても同様の効果が得られる。
【産業上の利用可能性】
【００２１】
本発明に係る球技用バットは、打球部の芯材上に中空形状の反発部材が並列配置されているので、打球時には弾性中空形状の変形と空気の圧縮とにより大きな反発特性が得られるので、従来のスポンジ状の反発材料を設けたバットに比して大きな反発特性を有する球技用バットに構成することができる。また、芯材を選択する自由度が高く、限りある資源の有効活用を図ることができる。
【図面の簡単な説明】
【００２２】
【図１】実施形態に係る球技用バットの構成を示す（ａ）は縦断面図、（ｂ）は横断面図。
【図２】同上球技用バットの各構成要素を示す分解斜視図。
【図３】同上球技用バットの変形例を示す断面図。
【符号の説明】
【００２３】
１，１５  球技用バット
２，１６  芯材
６，１７  反発部材
７，１８  外パイプ
【図１】
2005028043.tif 000003
【図２】
2005028043.tif 000004
【図３】
2005028043.tif 000005